(57)【特許請求の範囲】
【請求項１】
台所で使用される流し台のシンクであって、
シンクの後方側壁に前方と上方が開放した入り江状の凹所を有し、面材で形成される仕切り部材が前記凹所の前方開口部に脱着自在に配設され、
前記仕切り部材は、前記凹所の前記前方開口部の左右全幅に亘って跨るとともに、その前面が前記凹所の外側左右における前記シンクの内側面と略面一に連続した状態を成し、
前記仕切り部材の背面側の左右端部には、前記凹所の内側の左右側面に係合する係合手段が設けられ、
前記凹所の下部に位置し、且つ前記凹所の内側面に奥側へと横方向に形成された段部を有し、前記段部に収容物を載置する受け板の縁部が載置され、前記受け板は前記仕切り部材の背面側に位置するシンク。
【請求項２】
前記凹所は、前記シンクの上端面よりやや下側から底面に至る高さに形成されている請求項１に記載のシンク。
【発明の詳細な説明】
【技術分野】
【０００１】
本発明は、台所で使用される流し台のシンク内の一部に収納部を形成したシンクに関するものである。
【背景技術】
【０００２】
台所などで使用される流し台において、シンクの槽内に収納部を形成して、シンク内に洗剤などを収納することができるようにしたものが知られている。例えば図７（ａ）に示すように、シンク２０の奥側の内側面を凹ませて収納用凹所２１を形成し、この収納用凹所２１内に収納ラック２２を脱着自在に取り付けるようにしたものが提案されている（例えば特許文献１参照）。
【０００３】
そしてこのものでは、収納ラック２２を図７（ｂ）のように金属線材２２ａで籠状に形成してあり、収納ラック２２に洗剤やスポンジなどを保持した状態で、収納用凹所２１内に収納することができるものである。
【先行技術文献】
【特許文献】
【０００４】
【特許文献１】特開２００２−１０８４１号公報
【発明の概要】
【発明が解決しようとする課題】
【０００５】
しかし、洗剤やスポンジなどを収納ラック２２に保持して収納用凹所２１に収納するにあたって、上記のように収納ラック２２が線材２２ａで籠に形成されていると、収納用凹所２１に収納している洗剤やスポンジなどの収容物が丸見えになって見栄えが悪く、またシンク２０を使用する際に水が飛散すると収容物にかかり易いという問題があった。さらに、線材２２ａで籠状に形成される収納ラック２２は、平滑な面として形成されるシンク２０に対して違和感があって収まりが悪く、また収納ラック２２に汚れが付着した際に清掃がし難いという問題もあった。
【０００６】
本発明は上記の点に鑑みてなされたものであり、収納用凹所に収納した洗剤やスポンジなどの収納物が丸見えになることを防ぐことができると共にこの収納物に水がかかることなくシンクを使用することができ、しかも仕切り部材の清掃が容易であると共に収まりがスッキリしてシンクの外観を損なうことがないシンクを提供することを目的とするものである。
【課題を解決するための手段】
【０００７】
本発明に係るシンクは、台所で使用される流し台のシンクであって、シンクの後方側壁に前方と上方が開放した入り江状の凹所を有し、面材で形成される仕切り部材が前記凹所の前方開口部に脱着自在に配設され、前記仕切り部材は、前記凹所の前記前方開口部の左右全幅に亘って跨るとともに、その前面が前記凹所の外側左右における前記シンクの内側面と略面一に連続した状態を成し、前記仕切り部材の背面側の左右端部には、前記凹所の内側の左右側面に係合する係合手段が設けられ、前記凹所の下部に位置し、且つ前記凹所の内側面に奥側へと横方向に形成された段部を有し、前記段部に収容物を載置する受け板の縁部が載置され、前記受け板は前記仕切り部材の背面側に位置するものである。
【０００８】
本発明にあっては、前記凹所は、前記シンクの上端面よりやや下側から底面に至る高さに形成されていることが好ましい。
【発明の効果】
【０００９】
本発明は、収納用凹所に収納した洗剤やスポンジなどの収納物が丸見えになることを防ぐことができると共にこの収納物に水がかかることなくシンクを使用することができ、しかも仕切り部材の清掃が容易であると共に収まりがスッキリしてシンクの外観を損なうことがないものである。
【図面の簡単な説明】
【００１０】
【図１】本発明の実施の形態の一例を示すものであり、（ａ）は斜視図、（ｂ）は平面図である。
【図２】同上のシンクの平面図である。
【図３】同上のシンクを示すものであり、（ａ）は図２のＡ−Ｂ−Ｃ−Ｄ線断面図、（ｂ）は図２のＥ−Ｆ線断面図である。
【図４】同上のシンクの一部の斜視図である。
【図５】同上のラックを示すものであり、（ａ）は斜視図、（ｂ）背面側から見た斜視図、（ｃ）は上下反転させた状態の斜視図である。
【図６】同上のラックの他の実施の形態を示す斜視図である。
【図７】従来例を示すものであり、（ａ）は平面図、（ｂ）は収納ラックの正面図である。
【発明を実施するための最良の形態】
【００１１】
以下、本発明を実施するための最良の形態を説明する。
【００１２】
シンク１は合成樹脂成形品などで上面を開口して形成されるものであり、平面形状を横長の長円形状に形成してある。このシンク１の奥側後方の内側面において、前面がシンク１の内方へ開口すると共に上面が上方へ開口する凹所２が図２に示すように形成してある。凹所２は、シンク１の上端面よりやや下側から底面に至る高さで一対の張り出し部１５をシンク１に設けることによって、図３や図４に示すようにこの一対の張り出し部１５の間に、シンク１より奥方へ凹むように形成されるものである。凹所２を形成するためにシンク１に設けられるこの張り出し部１５を利用して、例えばカランなどを設けることができる。図２の符号１６は、カランを取り付けるために張り出し部１５の上面に設けた孔である。
【００１３】
上記の凹所２のシンク１内へ開口する前面開口の両内側面には、前面開口からやや奥側の位置において係合受部５が凹設してある。この係合受部５は、凹所２の開口前端部よりも奥側の内壁面を凹ませることによって、図４に示すように縦方向に段面５ａを有する凹段部として形成されるものである。またこの係合受部５の段面５ａは上部ほど幅狭で下部ほど幅広になるように形成してあり、係合受部５の深さが上部ほど浅く下部ほど深くなるようにしてある。
【００１４】
係合受部５はこのように上部ほど深さが浅くなるように形成してあり、係合受部５の上端が凹所２の上端にまで至らない範囲で形成してある。また係合受部５の下端は凹所２の下部に位置するものであり、凹所２の内側面には各係合受部５のこの下端の高さ位置において段部８が設けてある。係合受部５を形成するために上記のように凹所２の内壁面を凹ませているが、図４に示すように段部８はこの凹みの形成によって断面８ａを有する凹段部として形成されるものである。この段部８は図３（ｂ）のように係合受部５から凹所２の奥側へと横方向に形成されるものである。ここで、凹所２の内壁は内方へ下り傾斜する傾斜面に形成してあり、この傾斜面に対して鉛直面の部分を形成することによって上記の凹みが形成されるものであり、傾斜面と鉛直面との境界にできる段差で、係合受け部５や段部８が形成されるようにしてある。
【００１５】
一方、仕切り部材３は樹脂成形品などで、孔などの開口を有しない面板状に形成してあり、仕切り部材３の下端の全長に背面側へ張り出すように受け板６を一体に延設して、図５に示すように全体として縦断面略Ｌ字形となったラック１２を形成するようにしてある。仕切り部材３の背面の左右両端部には係合手段が設けてある。仕切り部材３の両側端には背面側へフランジ片１７が突出させてあり、各フランジ片１７の先端にそれぞれ外側方へ係合片４を突設することによって、この係合片４で係合手段を形成するようにしてある。係合片４は図５（ａ）（ｃ）に示すように、上部ほど突出寸法が小さく下部ほど突出寸法が大きくなるように下広がりに形成してあり、係合片４の上端が仕切り部材３の上端にまで至らない範囲で形成してある。係合片４の下端は仕切り部材３の下端にまで至るようにして、係合片４のこの下端は受け板６に連続するようにしてある。この受け板６には図５（ｂ）（ｃ）のように複数個所において水抜き孔７が穿設してある。
【００１６】
そして上記のように仕切り部材３と受け板６とから形成されるラック１２は凹所２内に脱着自在に取り付けられるものである。すなわち、凹所２内に上面の開口から受け板６を落とし込むようにして、係合受部５に仕切り部材３の係合片４を上側から差し込むことによって、係合受部５の段面５ａに係合片４を係合させると共に、受け板６の両側周縁を段部８の段面８ａの上に係合・載置することにより、係合受部５に対する仕切り部材３の係合片４の係合と、凹所２内への受け板６のはまり込みによって、凹所２に仕切り部材３と受け板６からなるラック１２を取り付けることができるものである。またラック１２を上方へ持ち上げることによって、凹所２からラック１２を取り外すこともできるものである。
【００１７】
このようにして、仕切り部材３を凹所２の前面開口の幅全長に渡して配置した状態で取り付けることができ、図１（ａ）に示すように凹所２のこの前面開口を下部を除いて仕切り部材３で塞ぐことができるものである。このとき仕切り部材３はその前面がシンク１の内側面と面一に連続するように配置されるものであり、また図１（ａ）（ｂ）のようにシンク１の内側面の曲面と連続する曲面で仕切り部材３を形成してあるので、シンク１内と凹所２内とを仕切り部材３で違和感なく仕切ることができ、仕切り部材３でシンク１の外観を損ねることがないものである。また、仕切り部材３を凹所２に取り付けるための係合片４は仕切り部材３の背面側において凹所２の係合受部５に係合しているために、係合片４と係合受部５は外部に露出しないようになっており、しかも係合片４は上部ほど突出寸法が小さい下広がりに形成して上端が仕切り部材３の上端にまで至らない範囲で形成してあるので、係合片４が外部から見え難いようになっており、係合片４の存在を外部から隠して、仕切り部材３の収まりをスッキリしたものにすることができるものである。このように係合手段として仕切り部材３の背面側の左右端部に係合片４が設けられ、一方、凹所２の内側の左右側面に係合片４が係合する係合受部５が設けられており、係合片４と係合受部５は左右方向の幅寸法が下から上に向かって狭小し、仕切り部材３及び凹所２側壁の上方に露出しないよう形成されている構成とするので、係合片４や係合受部５は仕切り部材３の背面側に隠れると共に上方にも露出しないようにすることができ、仕切り部材３の収まりがスッキリするものである。
【００１８】
そしてこのように凹所２はラック１２の仕切り部材３でシンク１と仕切られており、しかも凹所２の下部内にはラック１２の受け板６が配置されているので、受け板６の上に洗剤やスポンジなどの収納物を載置することができ、収容用凹所２内を収納部としてこれらの収納物を収納することができるものである。
【００１９】
ここで、シンク１と凹所２は面板状の仕切り部材３で仕切られているので、シンク１を使用する際に水が飛び跳ねても、凹所２内に収納した洗剤やスポンジなどに水がかかることを仕切り部材３で防ぐことができるものである。また、シンク１の内面を拭いて清掃する際に、仕切り部材３は前面がシンク１の内側面と面一に連続しているために、シンク１の内面を拭く一連の操作で仕切り部材３の表面も拭くことができ、汚れていると目立つ仕切り部材３の表面を容易に清掃して、仕切り部材３を常に綺麗に保つことができるものである。特に仕切り部材３は面板状であって、線材で形成される籠のような複雑な形状ではないので、清掃を容易に行なうことができるものである。
【００２０】
また、ラック１２の受け板６の上に洗剤やスポンジなどの収納物を収納するにあたって、受け板６にかかる荷重は段部８で支えることができるので、受け板６の上に収納される洗剤やスポンジなどの重みで受け板６が変形することを防ぐことができるものである。そしてこの受け板６には水抜き孔７が設けてあるので、受け板６上の水を水抜き孔７から排出することができ、受け板６上に水が溜まることを防ぐことができるものであり、洗剤やスポンジなどの収納物が濡れることを防ぐことができるものである。尚、受け板６は、ラック１２を凹所２に取り付けた際に、後方へ向けてやや下り傾斜するようにしてあり、受け板６上の水を受け板６の後端からも排出することができるようにしてある。
【００２１】
またここで、シンク１の底部には排水口９が設けてあり、図２に示すように排水口９は奥側の略半分が凹所２内に位置するように配置してある。この排水口９の上端の開口には図１（ａ）（ｂ）のように覆い蓋１０を脱着自在に嵌め込んで取り付けてあり、排水口９の開口を覆い蓋１０で隠すようにしてある。そして蓋１０の一部は切り欠いて、排水口９内に連通する通水口１１が形成してあり、この通水口１１が凹所２内に配置されるように排水口９に蓋１０を取り付けるようにしてある。従って、水が流入する通水口１１は凹所２に配置されて目立つことがなく、しかも上方に取り付けられたラック１２で通水口１１を隠すことができるものであり、シンク１の外観をスッキリしたものにすることができるものである。また覆い蓋１０の上面は図３（ｂ）のように通水口１１の側へ下り傾斜するように形成してあり、水がスムーズに通水口１１へと導かれて排出されるようにしてある。このようにシンク１底面の排水口９がその開口領域の一部が凹所２内に入るよう設けられ、排水口９の開口部には、その開口領域の大半を覆う一方、その残り領域を通水口１１として開口する覆い蓋１０が設けられており、通水口１１は凹所２内に位置する構成とするにより、シンク１の排水口９を覆い蓋１０で隠すことができると共に、水を排水口９へと導く蓋１０の通水口１１を外部から見え難くすることができ、シンク１の外観をスッキリしたものにすることができるものである。
【００２２】
図６はラック１２の他の実施の形態を示すものであり、受け板６を後方に向かって下方へ傾斜するように形成すると共に、受け板６の上面に後方端縁まで至る前後方向の排水溝１３が形成してある。受け板６は凹凸が交互に繰り返す波状断面に形成してあり、排水溝１３が受け板６の左右幅方向に亘って平行に多数本形成されるようにしてある。このものにあって、受け板６上の水は、受け板６の傾斜に沿って排水溝１３内を後方へ流れ、受け板６の後端から排出することができるものであり、受け板６上に水が溜まることを防ぐことができるものである。またこのように排水溝１３を多数設けて受け板６を波状断面に形成することによって、受け板６上に載置される洗剤やスポンジなどの収納物は、受け板６の上面に線で接触するものであり、収納物の下面と受け板６の上面との間に毛細管現象で水が滞留するようなことを防ぐことができるものであり、受け板６上に水が溜まって洗剤やスポンジなどの収納物が濡れることを防ぐことができるものである。
【００２３】
尚、シンクやラックは合成樹脂材で形成する他、ステンレスなどの金属材で形成することもできる。
【符号の説明】
【００２４】
１  シンク
２  凹所
３  仕切り部材
６  受け板
８  段部
【図１】
0005760165.tif 000002
【図２】
0005760165.tif 000003
【図３】
0005760165.tif 000004
【図４】
0005760165.tif 000005
【図５】
0005760165.tif 000006
【図６】
0005760165.tif 000007
【図７】
0005760165.tif 000008